(57)【要約】【課題】工期を短縮して、施工費用を低減できるスラブ養生方法を提供すること。【解決手段】スラブ養生方法１は、スラブ１０のコンクリートを打設するステップＳ１と、スラブ１０の表面に躯体工事の基準線２０を設けるステップＳ２と、スラブ１０の表面から上方に延びる柱筋１２を含む領域を所定領域Ａとし、スラブ１０の表面のうち所定領域Ａを除いた領域を囲んで堰き止め部材１３を設けるステップＳ３と、堰き止め部材１３で囲まれた領域内に水を張って、スラブ１０を冠水させるステップＳ４と、を備える。【選択図】図１
2014152538.tif 000002
【特許請求の範囲】
【請求項１】
スラブのコンクリートを打設する工程と、
当該スラブ表面に躯体工事の基準線を設ける工程と、
当該スラブ表面の外縁部に沿って堰き止め部材を設ける工程と、
前記堰き止め部材で囲まれた領域内に水を張って、前記スラブを冠水させる工程と、
を備えることを特徴とするスラブ養生方法。
【請求項２】
スラブのコンクリートを打設する工程と、
当該スラブ表面から上方に延びる立上がり鉄筋および立上がり躯体のうち少なくとも一方を含む領域を所定領域とし、前記スラブ表面のうち当該所定領域を除いた領域を囲んで堰き止め部材を設ける工程と、
前記堰き止め部材で囲まれた領域内に水を張って、前記スラブを冠水させる工程と、
を備えることを特徴とするスラブ養生方法。
【請求項３】
前記スラブを冠水させた状態で、前記所定領域内の工事を行う工程をさらに備えることを特徴とする請求項２に記載のスラブ養生方法。
【請求項４】
前記所定領域内の工事を行う工程では、
前記スラブ表面から上方に延びる立上がり鉄筋、および、前記立上がり躯体から上方に延びる立上がり鉄筋のうち少なくとも一方は、柱筋であり、
当該柱筋に機械式継手を用いて鉄筋材を接合することを特徴とする請求項３に記載のスラブ養生方法。
【発明の詳細な説明】
【技術分野】
【０００１】
本発明は、スラブ養生方法に関する。詳しくは、コンクリート打設後のスラブの養生方法に関する。
【背景技術】
【０００２】
従来より、コンクリート打設後のスラブ表面を散水養生を行うことが行われている（特許文献１、２参照）。散水養生とは、コンクリート打設後のスラブに散水して、打設したコンクリート表面が乾燥するのを防止することである。
【０００３】
例えば、特許文献１では、タイマーを設けた養生ホースを用いて、無人で散水養生を実行する。特許文献２では、スラブの周囲に止水処理をして、通水パイプによりスラブのコンクリートを水張養生する。
【先行技術文献】
【特許文献】
【０００４】
【特許文献１】特開平１１−３２４３２７号公報
【特許文献２】特開２００９−１０１５６９号公報
【発明の概要】
【発明が解決しようとする課題】
【０００５】
しかしながら、以上のような散水養生では、スラブが冠水している期間、スラブ上の工事を進めることができず、工期が長期化し、施工コストが増大する、という問題があった。
【０００６】
本発明は、工期を短縮して、施工費用を低減できるスラブ養生方法を提供することを目的とする。
【課題を解決するための手段】
【０００７】
請求項１に記載のスラブ養生方法（例えば、後述のスラブ養生方法１）は、スラブ（例えば、後述のスラブ１０）のコンクリートを打設する工程（例えば、後述のステップＳ１）と、当該スラブ表面に躯体工事の基準線（例えば、後述の基準線２０）を設ける工程（例えば、後述のステップＳ２）と、当該スラブの外縁部に沿って堰き止め部材（例えば、後述の堰き止め部材１３）を設ける工程（例えば、後述のステップＳ３）と、前記堰き止め部材で囲まれた領域内に水を張って、前記スラブを冠水させる工程（例えば、後述のステップＳ４）と、を備えることを特徴とする。
【０００８】
請求項２に記載のスラブ養生方法（例えば、後述のスラブ養生方法１）は、スラブ（例えば、後述のスラブ１０）のコンクリートを打設する工程（例えば、後述のステップＳ１）と、当該スラブ表面から上方に延びる立上がり鉄筋（例えば、後述の柱筋１２）および立上がり躯体のうち少なくとも一方を含む領域を所定領域（例えば、後述の所定領域Ａ）とし、前記スラブ表面のうち当該所定領域を除いた領域を囲んで堰き止め部材（例えば、後述の堰き止め部材１３）を設ける工程（例えば、後述のステップＳ３）と、前記堰き止め部材で囲まれた領域内に水を張って、前記スラブを冠水させる工程（例えば、後述のステップＳ４）と、を備えることを特徴とする。
【０００９】
請求項３に記載のスラブ養生方法は、前記スラブを冠水させた状態で、前記所定領域内の工事を行う工程（例えば、後述のステップＳ５）をさらに備えることを特徴とする。
【００１０】
所定領域内の工事としては、柱筋や壁筋などの立上がり鉄筋に配筋する工事、立上がり鉄筋に型枠を建て込む工事、立上がり躯体から延びる鉄筋に配筋する工事、立上がり躯体に型枠やプレキャスト部材を建て込む工事などが挙げられる。
【００１１】
この発明によれば、スラブ養生後の作業工程を見据えてスラブ表面に躯体工事の基準線を設け、その後、スラブの外縁部に沿って堰き止め部材を設けて、この堰き止め部材で囲まれた領域内に水を張ってスラブを冠水させる。あるいは、立上がり鉄筋および立上がり躯体のうち少なくとも一方を含む領域を除いた領域を囲んで堰き止め部材を設けて、この堰き止め部材で囲まれた領域内に水を張ってスラブを冠水させる。
よって、スラブのコンクリートを養生しつつ、立上がり鉄筋や立上がり躯体の工事を継続して作業できるので、工期を短縮して、施工費用を低減できる。
【００１２】
請求項４に記載のスラブ養生方法は、前記所定領域内の工事を行う工程では、前記スラブ表面から上方に延びる立上がり鉄筋、および、前記立上がり躯体から上方に延びる立上がり鉄筋のうち少なくとも一方は、柱筋であり、当該柱筋に機械式継手（例えば、後述の機械式継手１６）を用いて鉄筋材（例えば、後述の柱筋１４）を接合することを特徴とする。
【００１３】
この発明によれば、立上がり鉄筋や立上がり躯体から上方に延びる鉄筋に対して、機械式継手を用いて鉄筋材を接合したので、鉄筋材の接合時に圧接継手のように火花が発生しない。よって、スラブ養生の水に火花が落下して養生が不十分になるのを防止できる。
【発明の効果】
【００１４】
本発明によれば、スラブ養生後の作業工程を見据えてスラブ表面に躯体工事の基準線を設け、その後、スラブの外縁部を囲んで堰き止め部材を設けて、この堰き止め部材で囲まれた領域内に水を張ってスラブを冠水させる。あるいは、立上がり鉄筋および立上がり躯体のうち少なくとも一方を含む領域を除いた領域を囲んで堰き止め部材を設けて、この堰き止め部材で囲まれた領域内に水を張ってスラブを冠水させる。よって、スラブのコンクリートを養生しつつ、立上がり鉄筋や立上がり躯体の工事を継続して作業できるので、工期を短縮して、施工費用を低減できる。
【図面の簡単な説明】
【００１５】
【図１】本発明の一実施形態に係るスラブ養生方法のフローチャートである。
【図２】前記実施形態に係るスラブ養生方法を説明するための斜視図（その１）である。
【図３】前記実施形態に係るスラブ養生方法を説明するための斜視図（その２）である。
【図４】前記実施形態に係るスラブ養生方法を説明するための斜視図（その３）である。
【図５】前記実施形態に係るスラブ養生方法を説明するための斜視図（その４）である。
【発明を実施するための形態】
【００１６】
以下、本発明の一実施形態について、図面を参照しながら説明する。
図１は、本発明の一実施形態に係るスラブ養生方法１のフローチャートである。
【００１７】
ステップＳ１では、図２に示すように、スラブ１０のコンクリートを打設する。この状態では、スラブ１０の表面からは、各柱１１の立上がり鉄筋としての柱筋１２が上方に突出して延びている。なお、図示しないが、このスラブ１０を囲んで工事用の仮設足場が架設されている。
【００１８】
ステップＳ２では、図３に示すように、スラブ１０の表面に躯体工事の基準線２０を設定する。具体的には、スラブ表面に基準線としての親墨２１を打つとともに、この親墨２１に基づいて、型枠を建て込むための基準線である小墨２２を打つ。
【００１９】
ステップＳ３では、図３に示すように、スラブ１０の表面から上方に延びる柱筋１２を囲む領域を所定領域Ａとする。そして、スラブ１０の表面のうち所定領域Ａを除いた領域でかつスラブ１０の外縁部に沿って、堰き止め部材１３を設置する。具体的には、堰き止め部材１３は、スラブ１０の表面に釘で固定された板材であり、この板材とスラブ１０との間には、図示しない三角シールが打設される。
【００２０】
ステップＳ４では、図４に示すように、堰き止め部材１３で囲まれた領域内に水を張って、スラブ１０を冠水させる
【００２１】
ステップＳ５では、図５に示すように、スラブ１０を冠水させる一方で、所定領域Ａつまり水を張っていない領域内の工事を継続する。
具体的には、鉄筋材としての柱筋１４を地組みしておき、この地組みした柱筋１４をクレーン１５で吊上げて、スラブ１０の表面から突出した柱筋１２に機械式継手１６を用いて接合する。次に、図示しないが、この柱筋１２を接合した後、各柱１１の柱型枠の建て込みを開始する。
【００２２】
なお、所定領域Ａ内に立上がり躯体がある場合には、この立上がり躯体から上方に延びる柱筋に機械式継手を用いて鉄筋材を接合してもよいし、さらに、立上がり躯体に型枠やプレキャスト部材を建て込む工事などを行ってもよい。
【００２３】
ステップＳ６では、スラブ１０のコンクリート養生期間の終了後、堰き止め部材１３を撤去する。
【００２４】
本実施形態によれば、以下のような効果がある。
（１）スラブ養生後の作業工程を見据えてスラブ１０の表面に躯体工事の基準線２０を設け、その後、スラブ１０の表面に堰き止め部材１３を設けて、この堰き止め部材１３で囲まれた領域に水を張ってスラブ１０を冠水させた。よって、スラブ１０のコンクリートを養生しつつ、柱筋１２の配筋工事や型枠工事を継続して作業できるので、工期を短縮して、施工費用を低減できる。
【００２５】
（２）柱筋１２に対して、機械式継手１６を用いて柱筋１４を接合したので、柱筋１４の接合時に圧接継手のように火花が発生しない。よって、スラブ養生の水に火花が落下して養生が不十分になるのを防止できる。
【００２６】
なお、本発明は前記実施形態に限定されるものではなく、本発明の目的を達成できる範囲での変形、改良等は本発明に含まれるものである。
例えば、本実施形態では、ステップＳ２において、スラブ１０の表面に躯体工事の基準線２０を設定したが、これに限らず、このステップＳ２を省略してもよい。このようにしても、上述の（１）と同様の効果がある。
【符号の説明】
【００２７】
Ａ…所定領域
１…スラブ養生方法
１０…スラブ
１１…柱
１２…柱筋（立上がり鉄筋）
１３…堰き止め部材
１４…柱筋（鉄筋材）
１５…クレーン
１６…機械式継手
２０…基準線
２１…親墨
２２…小墨
【図１】
2014152538.tif 000003
【図２】
2014152538.tif 000004
【図３】
2014152538.tif 000005
【図４】
2014152538.tif 000006
【図５】
2014152538.tif 000007